(57)【要約】【課題】ネットを鉄塔の縦方向に移動させることにより、ネットの展開作業・回収作業を迅速に行い、降雪予想時期以外の降雪等の緊急時に迅速に対応できると共に、作業員が地上においてネットの展開作業・回収作業を安全に行うことのできる、鉄塔の落雪防止装置を提供する。【解決手段】本発明は、鉄塔の正面もしくは側面にネットを展開し、鉄塔の外側への落雪を防ぐ鉄塔の落雪防止装置であって、鉄塔における腕金の下側に配置した滑車と、鉄塔の下部から滑車に巻回しているワイヤと、ワイヤに連結されて鉄塔の縦方向に展開・回収されるネットと、から構成されている。また、ネットに複数のパイプを取り付け、ネットの最上部に位置するパイプを、腕金の下側に配置した２個の滑車に巻回している２本のワイヤで引き上げ、ネットを上方に展開する。さらに、ネットに取り付けた夫々のパイプは、鉄塔の正面もしくは側面に固定したレールの長手方向に沿ってスライド移動する台車を介して、上方・下方に移動する。【選択図】図３
2009221686.tif 000002
【特許請求の範囲】
【請求項１】
鉄塔の正面もしくは側面にネットを展開し、鉄塔の外側への落雪を防ぐ鉄塔の落雪防止装置であって、鉄塔における腕金の下側に配置した滑車と、鉄塔の下部から滑車に巻回しているワイヤと、ワイヤに連結されて鉄塔の縦方向に展開・回収されるネットと、から構成されていることを特徴とする鉄塔の落雪防止装置。
【請求項２】
ネットに複数のパイプを取り付け、ネットの最上部に位置するパイプを、腕金の下側に配置した２個の滑車に巻回している２本のワイヤで引き上げ、ネットを上方に展開する請求項１に記載の鉄塔の落雪防止装置。
【請求項３】
ネットに取り付けた夫々のパイプは、鉄塔の正面もしくは側面に固定したレールの長手方向に沿ってスライド移動する台車を介して、上方・下方に移動する請求項１または２に記載の鉄塔の落雪防止装置。
【請求項４】
ネットの両側を、鉄塔に沿って立設した棒状体により支持している請求項１乃至３のいずれかに記載の鉄塔の落雪防止装置。
【請求項５】
腕金の下側に配置した２個の滑車に巻回している２本のワイヤの基端部側を、鉄塔の下部に設置したウインチにより巻き取り、ネットを上方に展開する請求項１乃至４のいずれかに記載の鉄塔の落雪防止装置。
【発明の詳細な説明】
【技術分野】
【０００１】
本発明は、送電線を支持している鉄塔に雪が降り積もった場合において、鉄塔の外側に雪が落下して器物の損壊等が生じる事態を回避するために、鉄塔の正面もしくは側面にネットを展開することで鉄塔の外側への落雪を防ぐ、鉄塔の落雪防止装置に関するものである。
【背景技術】
【０００２】
近年において、送電線を支持している鉄塔が、都市部に建設される傾向がある。そして、鉄塔は、降雪時には雪が降り積もってしまい、時として、雪が鉄塔に堆積して氷塊状になってしまうことがある。
【０００３】
このような氷塊状の雪が鉄塔から落下した場合、器物の損壊が生じるおそれがあるため、鉄塔にネットを展開して、鉄塔の外側への落雪を防ぐ措置が施されている。
【０００４】
具体的には、図７（ａ）・図８（ｂ）に示すように、鉄塔Ｓにおける腕金Ａの下側にレール１００を配置し、このレール１００に沿ってネット１０１を横方向に移動させて、鉄塔Ｓの正面もしくは側面にネット１０１を展開している。
【０００５】
腕金Ａは、図７（ａ）に示すように、鉄塔Ｓにおける最も下側のものであり、レール１００は、腕金Ａの下側において鉄塔Ｓを支える脚部Ｌ全体の上部に配置されている。このレール１００は、図８（ａ）に示すように、鉄塔Ｓにおける脚部Ｌの外周形状に合わせて、全体が四角形の枠状に形成されている。
【０００６】
四角形の枠状であるレール１００を構成するそれぞれの直線部分においては、図８（ｂ）に示すように、レール１００に沿って鉄塔Ｓにおける脚部Ｌの横方向にスライド移動する台車１０２を複数取り付けている。また、これらの台車１０２には、鉄塔Ｓにおける脚部Ｌの側面を覆うネット１０１を取り付けている。
【０００７】
すなわち、レール１００は、長方形状の天板と、天板の長手方向における両側を下方に向けて折曲した垂設板と、両垂設板の下部を内向きに折曲した水平板により形成され、垂設板と水平板の内側に溝状の空間が形成されている。
【０００８】
そして、図７（ａ）に示すように、腕金Ａの下側において鉄塔Ｓを支える脚部Ｌ全体の上部にレール１００をボルトとナット等で固定し、このレール１００の垂設板と水平板の内側の空間に台車１０２の車輪が収納されている。
【０００９】
また、図８（ｂ）に示すように、この台車１０２にネット１０１の上辺を固縛してネット１０１を吊り下げる。このとき、ネット１０１の一側辺を、支持ロープ１０３等を用いて、鉄塔Ｓの脚部Ｌを構成する主柱材に固定しておく。
【００１０】
この状態において、図８（ｂ）に示すように、レール１００に沿って台車１０２を横方向にスライド移動させることで、図７（ａ）乃至（ｃ）に示すように、鉄塔Ｓにおける脚部Ｌを構成する一側面に、ネット１０１を展開する。
【００１１】
また、鉄塔Ｓにおける脚部Ｌを構成する他の三側面においても、同様にネット１０１を展開する。
【００１２】
このようにして、鉄塔Ｓにおける脚部Ｌの側面全体を、展開した４枚のネット１０１により覆ってしまうのである。
【特許文献１】なし
【発明の開示】
【発明が解決しようとする課題】
【００１３】
しかしながら、従来においては、レール１００に沿って台車１０２を横方向にスライド移動させ、鉄塔Ｓにおける脚部Ｌを構成する一側面にネット１０１を横方向に展開することから、作業員を鉄塔Ｓにおけるレール１００部分と、ネット１０１の中間部分、さらには、ネット１０１の下部分のそれぞれに配置しなければならず、ネット１０１の横方向への展開に多くの作業員が必要であった。
【００１４】
また、レール１００部分やネット１０１の中間部分は、所定の高さを有し、作業員の高所作業となるため、ネット１０１の展開作業は地上での作業に比べて安全に注意を払う必要があった。
【００１５】
さらに、多くの作業員を要するものの、ネット１０１を横方向に慎重に展開・回収することから、長い作業時間を費やしていた。
【００１６】
この他、近年の異状気象に伴い、降雪予想時期以外の降雪等の緊急時に、迅速に対応することができていないのが実情であり、苦肉の策として、例えば、鉄塔にネットを約半年間展開したままの状態で放置しているような現場も存在する。
【００１７】
このような現場においては、ポリエチレン製であるネット１０１が長期間に渡り雪・雨・風等に晒されることとなり、ネット１０１の経年劣化が著しく早くなってしまう。
【００１８】
そのため、数年後にネット１０１の全体を取り替えなければならず、設備維持費も嵩んでいた。
【００１９】
そこで、本発明は如上のような従来存した諸事情に鑑み創出されたもので、ネットを鉄塔の縦方向に移動させることにより、ネットの展開作業・回収作業を迅速に行い、降雪予想時期以外の降雪等の緊急時に迅速に対応できると共に、作業員が地上においてネットの展開作業・回収作業を安全に行うことのできる、鉄塔の落雪防止装置を提供することを目的とする。
【課題を解決するための手段】
【００２０】
本発明は、鉄塔の正面もしくは側面にネットを展開し、鉄塔の外側への落雪を防ぐ鉄塔の落雪防止装置であって、鉄塔における腕金の下側に配置した滑車と、鉄塔の下部から滑車に巻回しているワイヤと、ワイヤに連結されて鉄塔の縦方向に展開・回収されるネットと、から構成されていることで、上述した課題を解決した。
【００２１】
また、ネットに複数のパイプを取り付け、ネットの最上部に位置するパイプを、腕金の下側に配置した２個の滑車に巻回している２本のワイヤで引き上げ、ネットを上方に展開することで、同じく上述した課題を解決した。
【００２２】
さらに、ネットに取り付けた夫々のパイプは、鉄塔の正面もしくは側面に固定したレールの長手方向に沿ってスライド移動する台車を介して、上方・下方に移動することで、同じく上述した課題を解決した。
【００２３】
また、ネットの両側を、鉄塔に沿って立設した棒状体により支持していることで、同じく上述した課題を解決した。
【００２４】
加えて、腕金の下側に配置した２個の滑車に巻回している２本のワイヤの基端部側を、鉄塔の下部に設置したウインチにより巻き取り、ネットを上方に展開することで、同じく上述した課題を解決した。
【発明の効果】
【００２５】
本発明は、鉄塔の正面もしくは側面にネットを展開し、鉄塔の外側への落雪を防ぐ鉄塔の落雪防止装置であって、鉄塔における腕金の下側に配置した滑車と、鉄塔の下部から滑車に巻回しているワイヤと、ワイヤに連結されて鉄塔の縦方向に展開・回収されるネットと、から構成されている。
【００２６】
すなわち、地上に存在するワイヤを操作することにより、ネットを鉄塔の縦方向に移動させ、鉄塔における脚部を構成する側面にネットを容易に展開することができる。
【００２７】
同様に、ネットを鉄塔の縦方向に移動させ、鉄塔における脚部を構成する側面からネットを容易に回収することができる。
【００２８】
このとき、作業員が地上においてワイヤを操作し、ネットの展開作業・回収作業を行うため、高所作業を排除することとなり、全体の作業を安全に行うことができる。
【００２９】
また、作業員が地上において作業することから、少人数の作業員でネットの展開作業・回収作業を迅速に行うことができる。
【００３０】
その結果、降雪予想時期以外の降雪等の緊急時であっても、鉄塔にネットを迅速に展開してこの緊急時に対応できる。
【００３１】
そして、鉄塔にネットを展開した状態を長期間に渡り放置してしまうような事態を回避し、ネットの著しく早い経年劣化を防止することで、全体の設備維持費を節約することができる。
【００３２】
また、ネットに複数のパイプを取り付けたときには、このパイプによりネットを横方向に拡げた状態を維持することができる。また、ネットの最上部に位置するパイプを、腕金の下側に配置した２個の滑車に巻回している２本のワイヤで引き上げることにより、鉄塔における脚部を構成する側面にネットを均一に展開することができる。
【００３３】
さらに、ネットに取り付けた夫々のパイプは、鉄塔の正面もしくは側面に固定したレールの長手方向に沿ってスライド移動する台車を介して、上方・下方に移動することから、ネットの荷重をパイプと台車により堅牢に支持し、ネットを滑らかに移動させることができる。また、風圧等の影響を受けて、鉄塔に展開しているネットが煽られ、破断してしまうような事態も防止することができる。
【００３４】
また、ネットの両側を、鉄塔に沿って立設した棒状体により支持していることから、ネットを横方向に拡げた状態を維持しながら、鉄塔における脚部を構成する側面にネットを均一に展開することができる。
【００３５】
この他、腕金の下側に配置した２個の滑車に巻回している２本のワイヤの基端部側を、鉄塔の下部に設置したウインチにより巻き取り、ネットを上方に展開するので、鉄塔における脚部を構成する側面にネットを迅速に展開することができる。
【００３６】
そして、鉄塔の正面もしくは側面にネットを展開したときには、降雪時に雪が鉄塔に降り積もって氷塊状になっている場合に、この氷塊状になっている雪が鉄塔の外側へ落下してしまう事態の発生を確実に防ぐことができるのである。
【発明を実施するための最良の形態】
【００３７】
以下に、本発明を実施するための最良の形態を、図面を参照して説明する。
【００３８】
本発明に係る鉄塔Ｓの落雪防止装置は、鉄塔Ｓにおける脚部Ｌの側面にネット１を展開し、鉄塔Ｓの外側への落雪を防ぐものである。
【００３９】
具体的には、図１・図２に示すように、鉄塔Ｓにおける腕金Ａの下側に配置した滑車２ａ，２ｂと、鉄塔Ｓの下部（地上）から引き上げて滑車２ａ，２ｂに巻回しているワイヤ３ａ，３ｂと、このワイヤ３ａ，３ｂの先端部に連結されて、鉄塔Ｓにおける脚部Ｌの側面において縦方向に移動して展開・回収されるネット１から構成されている。
【００４０】
そして、図１・図３（ａ）（ｂ）に示すように、ワイヤ３ａ，３ｂの基端部側を鉄塔Ｓの下部で牽引することにより、地上において、鉄塔Ｓの脚部Ｌへのネット１の展開操作と、ネット１の回収操作を行うものである。
【００４１】
この鉄塔Ｓの落雪防止装置は、図１・図２に示すように、ネット１に複数のパイプ４を取り付け、ネット１の最上部に位置するパイプ４を、腕金Ａの下側に配置した２個の滑車２ａ，２ｂに巻回している２本のワイヤ３ａ，３ｂで引き上げ、ネット１を上方に展開するように構成している。
【００４２】
具体的には、図３（ａ）に示すように、鉄塔Ｓにおける脚部Ｌの側面に、複数の横架材５を、上下方向に略等間隔となるようにボルトとナット等で固定している。
【００４３】
そして、鉄塔Ｓにおける腕金Ａの下側に位置する最上部の横架材５の下面に、互いに近接した状態で左右一対の滑車２ａ，２ｂを取り付けている。
【００４４】
この滑車２ａ，２ｂには、図１に示すように、鉄塔Ｓの下部（地上）からワイヤ３ａ，３ｂを引き上げて巻回している。また、各ワイヤ３ａ，３ｂの先端部側は、連結部６に固定されている。この連結部６からは、２本のワイヤ３ａ，３ｂが下方に向けて広がった状態に配置され、このワイヤ３ａ，３ｂのそれぞれの先端部が、ネット１の上辺部に取り付けているパイプ４の左右の２箇所に、例えば、ナイロンロープ等によって固縛されている。
【００４５】
また、各ロープ３ａ，３ｂの基端部側を、鉄塔Ｓの下部（地上）において２個のローラ７を介して互いに逆向きの水平方向に導いて、地上に設置しているウインチ８にそれぞれ巻き付けている。
【００４６】
一方、ネット１に取り付けている夫々のパイプ４は、図２に示すように、鉄塔Ｓの脚部Ｌの側面に固定した左右一対のレール９の長手方向に沿ってスライド移動する台車１０を介して、上方・下方に移動するように構成されている。
【００４７】
このレール９は、図４に示すように、所定の長さを有する長方形状の底板９ａと、底板９ａの長手方向における両側を前方に向けて折曲した垂設板９ｂと、両垂設板９ｂの端部を互いに内向きに折曲した水平板９ｃにより形成され、垂設板９ｂと水平板９ｃの内側に溝状の空間が形成されている。
【００４８】
そして、レール９の底板９ａを、鉄塔Ｓの脚部Ｌの側面に取り付けている複数の横架材５にボルト等で固定している。このレール９の垂設板９ｂと水平板９ｃの内側に形成されている空間には、図４に示すように、台車１０の車輪１１が収納されている。
【００４９】
この車輪１１は、パイプ４に対して直角方向に位置するようにパイプ４に取り付けられている。具体的には、二股状の接続部１２がパイプ４に取り付けられており、この接続部１２の端部にそれぞれ台座部１３が固定されている。この台座部１３は、それぞれ四車輪１１ａを備えている。これらの四車輪１１ａが、レール９の内側に形成されている空間に収納され、それぞれの四車輪１１ａが、レール９の底板９ａに当接しているのである。
【００５０】
そして、ネット１を使用しないときは、ウインチ８にそれぞれ巻き付けているワイヤ３ａ，３ｂを引き出して、ネット１の上辺部に取り付けているパイプ４を、台車１０を介してレール９に沿って地上側に移動させておく（図３（ａ）参照）。このとき、ネット１は、地上側においてパイプ４に固定している台車１０が積み重なり、ネット１全体は束ねられたような状態となっている。
【００５１】
また、鉄塔Ｓにおける脚部Ｌの側面に、鉄塔Ｓの下部から上方に向けてネット１を展開する場合には、ワイヤ３ａ，３ｂの基端部側を、地上に設置しているウインチ８によりそれぞれ巻き取っていく。
【００５２】
すると、図３（ｂ）に示すように、レール９に沿ってパイプ４を固定している台車１０が上方に移動し、ネット１の全体が上方に向けて展開していく。
【００５３】
このとき、台車１０における四車輪１１ａが、レール９の底板９ａに当接して回転するので、ネット１の全体を滑らかに上方に向けて移動できるのである。
【００５４】
そして、ネット１の上辺部に取り付けているパイプ４が、滑車２ａ，２ｂの位置に到達するまで、ワイヤ３ａ，３ｂの基端部側をウインチ８により巻き取っていく。
【００５５】
ネット１の上辺部に取り付けているパイプ４が滑車２ａ，２ｂの位置に到達したときには、ウインチ８によるワイヤ３ａ，３ｂの巻き取りを停止する。このとき、鉄塔Ｓにおける脚部Ｌの側面に、ネット１を展開した状態となる。
【００５６】
尚、鉄塔Ｓにおける脚部Ｌの全体が四角形に形成されているときは、脚部Ｌの四側面のそれぞれにおいてネット１の展開作業を個別に行う。
【００５７】
この他、鉄塔Ｓの落雪防止装置について、図５・図６に示すように、ネット１の左右の両側辺部が、所定の棒状体１４に支持されるように構成しても良い。
【００５８】
この鉄塔Ｓの落雪防止装置は、滑車２ａ，２ｂが、鉄塔Ｓにおける腕金Ａの下側に設置されている水平架台１５の下面にそれぞれ取り付けられている。
【００５９】
このとき、ネット１は、図５に示すように、左右の両側辺部が、複数のループ状の支持ロープ１６を介して、鉄塔Ｓの脚部Ｌを構成する主柱材に沿って立設した状態で固定されている棒状体１４に支持されている。
【００６０】
また、ワイヤ３ａ，３ｂの基端部側を、地上に設置しているウインチ８にそれぞれ巻き付けている。
【００６１】
このネット１を使用しないときは、図６（ａ）に示すように、ウインチ８にそれぞれ巻き付けているワイヤ３ａ，３ｂを引き出して、ワイヤ３ａ，３ｂの先端部に固縛しているネット１の上辺部を地上側に移動させておく。
【００６２】
鉄塔Ｓにおける脚部Ｌの側面に、鉄塔Ｓの下部から上方に向けてネット１を展開する場合には、ワイヤ３ａ，３ｂの基端部側を、地上に設置しているウインチ８によりそれぞれ巻き取っていく。
【００６３】
すると、図６（ｂ）に示すように、ネット１は、左右の両側辺部が、複数のループ状の支持ロープ１６を介して、鉄塔Ｓの脚部Ｌを構成する主柱材に沿って立設した状態で固定されている棒状体１４に支持された状態で、上方に移動する。
【００６４】
そして、図６（ｃ）に示すように、ネット１の上辺部が滑車２ａ，２ｂの位置に到達するまで、ワイヤ３ａ，３ｂの基端部側をウインチ８により巻き取っていく。
【００６５】
ネット１の上辺部が滑車２ａ，２ｂの位置に到達したときには、ウインチ８によるロープ３ａ，３ｂの巻き取りを停止する。このとき、図６（ｃ）に示すように、鉄塔Ｓにおける脚部Ｌの側面にネット１を展開した状態となる。
【００６６】
尚、鉄塔Ｓにおける脚部Ｌの全体が四角形に形成されているときは、脚部Ｌの四側面のそれぞれにおいてネット１の展開作業を個別に行う。
【産業上の利用可能性】
【００６７】
本発明に係る鉄塔の落雪防止装置は、送電線を支持している鉄塔に雪が降り積もった場合において、鉄塔の外側に雪が落下して器物の損壊等が生じる事態を回避するために、鉄塔の正面もしくは側面にネットを展開することの他に、建築現場の足場等の種々の現場において落雪を防止する装置として、幅広く利用することができる。
【図面の簡単な説明】
【００６８】
【図１】ネットに複数のパイプを取り付け、ネットの最上部に位置するパイプを、腕金の下側に配置した２個の滑車に巻回している２本のワイヤで引き上げ、ネットを上方に展開する状態を示す概略の説明図である。
【図２】ネットに取り付けている夫々のパイプが、鉄塔の脚部の側面に固定しているレールの長手方向に沿ってスライド移動する台車を介して、上方・下方に移動する状態を示す斜視図である。
【図３】鉄塔の脚部にネットを展開する状態を示すもので、（ａ）はレールに沿ってパイプを固定している台車が下方に移動している状態を示す正面図、（ｂ）はレールに沿って台車が上方に移動し、ネットの全体を脚部に展開した状態を示す正面図である。
【図４】レールの垂設板と水平板の内側に形成されている空間に、台車の車輪が収納される状態を示す分解斜視図である。
【図５】ワイヤの基端部側を地上に設置しているウインチにより巻き取り、ネットの両側辺部が、鉄塔の主柱材に沿って固定している棒状体に支持された状態で、脚部の側面に展開されている状態を示す正面図である。
【図６】鉄塔の脚部にネットを展開する状態を示すもので、（ａ）はウインチに巻き付けているワイヤを引き出し、上辺部を地上側に移動させている状態を示す正面図、（ｂ）はワイヤをウインチにより巻き取り、ネットの上辺部を鉄塔の下部から上方に向けて移動させている状態を示す正面図、（ｃ）は鉄塔の脚部にネットを展開した状態を示す正面図である。
【図７】鉄塔の脚部において、レールに沿って台車を横方向にスライド移動させる従来のネットの展開状態を示すもので、（ａ）はネットを展開する前の状態を示す正面図、（ｂ）はネットを横方向に展開している状態を示す正面図、（ｃ）はネットを鉄塔の脚部に展開した状態を示す正面図である。
【図８】鉄塔の脚部において、レールに沿って台車を横方向にスライド移動させる従来の落雪防止装置の構成を示すもので、（ａ）はレールの全体形状を示す平面図、（ｂ）はレールに沿って台車を横方向にスライド移動させてネットを展開している状態を示す説明図である。
【符号の説明】
【００６９】
Ｓ…鉄塔
Ｌ…脚部
Ａ…腕金
１…ネット
２ａ…滑車
２ｂ…滑車
３ａ…ワイヤ
３ｂ…ワイヤ
４…パイプ
５…横架材
６…連結部
７…ローラ
９…レール
９ａ…底板
９ｂ…垂設板
９ｃ…水平板
１０…台車
１１…車輪
１１ａ…四車輪
１２…接続部
１３…台座部
１４…棒状体
１５…水平架台
１６…支持ロープ
【図１】
2009221686.tif 000003
【図２】
2009221686.tif 000004
【図３】
2009221686.tif 000005
【図４】
2009221686.tif 000006
【図５】
2009221686.tif 000007
【図６】
2009221686.tif 000008
【図７】
2009221686.tif 000009
【図８】
2009221686.tif 000010